(57)【要約】  本発明は、スガマデクスナトリウムの合成において有用な、重要な中間体である６−パーデオキシ−６−パー−クロロガンマ−シクロデキストリンの製造方法に関する。本発明はさらに、スガマデクスナトリウムの製造および精製方法に関する。【特許請求の範囲】
【請求項１】
式（ＩＶ）：
【化１】
2018518589.tif 000012
の化合物を水酸化ナトリウムと反応させて、式（Ｉ）：
【化２】
2018518589.tif 000013
のスガマデクスナトリウムを得ることを含む、スガマデクスナトリウムの製造方法。
【請求項２】
反応が水およびメタノール中で行われる、請求項１に記載の方法。
【請求項３】
反応が２５−３５℃の温度で行われる、請求項１に記載の方法。
【請求項４】
ａ）ジメチルホルムアミドの存在下、ガンマ−シクロデキストリンをオキサリルハライドと反応させて、スガマデクスのハロ中間体を得ること；
ｂ）ジメチルホルムアミドの存在下、３−メルカプトプロピオン酸および水酸化カリウムを反応させて、３−メルカプトプロピオン酸のカリウム塩の溶液を得ること；
ｃ）ステップｂ）で得られた３−メルカプトプロピオン酸のカリウム塩を、スガマデクスのハロ中間体、好ましくは式（ＩＩＩ）のスガマデクスのクロロ中間体で処理して、スガマデクスの酸のカリウム塩を含む生成物を得ること；
ｄ）ステップｃ）の化合物を酸で処理することによって、式（ＩＶ）：
【化３】
2018518589.tif 000014
の化合物を得ること；
ｅ）式（ＩＶ）の化合物を水酸化ナトリウムと反応させて、スガマデクスナトリウムを得ること
を含む、スガマデクスナトリウムの製造方法。
【請求項５】
スガマデクスのハロ中間体が６−デオキシ−６−クロロガンマシクロデキストリンである、請求項４に記載の方法。
【請求項６】
ステップａ）の反応が、６０−８０℃の温度で行われ、ステップｃ）の反応が、８０−１４０℃の温度で行われる、請求項４に記載の方法。
【請求項７】
ステップｃ）の反応が、ジメチルホルムアミド、ジメチルアセトアミド、Ｎ−メチルピロリドンおよびジメチルスルホキシドから選択される溶媒の存在下で行われる、請求項４に記載の方法。
【請求項８】
ステップｄ）における前記の酸が塩酸である、請求項４に記載の方法。
【請求項９】
ステップｅ）の反応が、２５−３５℃の温度で、溶媒の混合物の存在下で行われる、請求項４に記載の方法。
【請求項１０】
溶媒の混合物がメタノールおよび水の混合物である、請求項９に記載の方法。
【請求項１１】
ａ）ガンマ−シクロデキストリン（ＩＩ）：
【化４】
2018518589.tif 000015
を、ジメチルホルムアミドの存在下で、トリホスゲンまたはオキサリルクロリドと反応させて、パーデオキシ−６−パー−クロロガンマシクロデキストリン（ＩＩＩ）：
【化５】
2018518589.tif 000016
を得ること；ｂ）パーデオキシ−６−パー−クロロガンマシクロデキストリンを式（Ｉ）：
【化６】
2018518589.tif 000017
のスガマデクスナトリウムに変換することを含む、スガマデクスナトリウムの製造方法。
【請求項１２】
前記のステップａ）がジメチルホルムアミドの存在下で、６０−９０℃の温度で行われる、請求項１１に記載の方法。
【請求項１３】
前記のパーデオキシ−６−パー−クロロガンマシクロデキストリンの、スガマデクスへの変換が、以下の１つを含む、請求項１１に記載の方法：
パーデオキシ−６−パー−クロロガンマシクロデキストリンを３−メルカプトプロピオン酸および水酸化ナトリウムと反応させて、スガマデクスを得ること；
または
６−パーデオキシ−６−パー−クロロガンマシクロデキストリンを、ナトリウムアミドの存在下、３−メルカプトプロピオン酸と反応させて、スガマデクスを得ること；
または
ａ）３−メルカプトプロピオン酸および水酸化カリウムを、ジメチルホルムアミドの存在下で反応させて、３−メルカプトプロピオン酸のカリウム塩の透明な溶液を得ること；
ｂ）ステップａ）で得られた３−メルカプトプロピオン酸のカリウム塩を、パーデオキシ−６−パー−ハロガンマシクロデキストリンで処理して、スガマデクスの酸のカリウム塩を含む生成物を得ること；
ｃ）ステップｂ）の化合物を酸で処理して、式（ＩＶ）の化合物を得ること；
ｄ）式（ＩＶ）の化合物を水酸化ナトリウムと反応させて、式（Ｉ）のスガマデクスを得ること。
【請求項１４】
前記のパーデオキシ−６−パー−クロロガンマシクロデキストリンの、３−メルカプトプロピオン酸との反応が、ジメチルホルムアミド、ジメチルアセトアミド、Ｎ−メチルピロリドンおよびジメチルスルホキシドから選択される溶媒の存在下で行われる、請求項１３に記載の方法。
【請求項１５】
パーデオキシ−６−パー−クロロガンマシクロデキストリンおよびメルカプトプロピオン酸が、１：少なくとも１５のモル比で用いられ、パーデオキシ−６−パー−クロロガンマシクロデキストリンおよび水酸化カリウムが、少なくとも１：少なくとも３０のモル比で用いられる、請求項１３に記載の方法。
【請求項１６】
前記の酸が塩酸である、請求項１３に記載の方法。
【請求項１７】
分取ＨＰＬＣによるスガマデクスの酸またはスガマデクスの精製をさらに含む、請求項１３に記載の方法。
【請求項１８】
スガマデクスの酸を精製することを含む、請求項１７に記載の方法。
【請求項１９】
ガンマシクロデキストリンを、ジメチルホルムアミドの存在下で、トリホスゲンまたはオキサリルクロリドと反応させて、パーデオキシ−６−パー−クロロガンマシクロデキストリンを形成させることを含む、６−パーデオキシ−６−パー−クロロガンマシクロデキストリンの製造方法。
【請求項２０】
前記の反応を、ジメチルホルムアミドの存在下、６０−９０℃の温度で行うことを含む、請求項１９に記載の方法。
【請求項２１】
スガマデクスの酸のカリウム塩を含む生成物を酸で処理して、式（ＩＶ）：
【化７】
2018518589.tif 000018
のスガマデクス酸を得ることを含む、式（ＩＶ）のスガマデクス酸の製造方法。
【請求項２２】
前記の酸が塩酸である、請求項２１に記載の方法。
【請求項２３】
ａ）３−メルカプトプロピオン酸および水酸化カリウムをジメチルホルムアミドの存在下で反応させて、３−メルカプトプロピオン酸のカリウム塩の透明な溶液を得ること
ｂ）ステップａ）で得られた３−メルカプトプロピオン酸のカリウム塩を、パーデオキシ−６−パー−ハロガンマシクロデキストリンで処理し、スガマデクスの酸のカリウム塩を含む生成物を得ること
ｃ）ステップｂ）の化合物を酸で処理し、式（ＩＶ）の化合物を得ること；
ｄ）式（ＩＶ）の化合物を水酸化ナトリウムと反応させて、式（Ｉ）のスガマデクスを得ること
を含む、スガマデクスの製造方法。
【請求項２４】
前記のパーデオキシ−６−パー−ハロガンマシクロデキストリンが、パーデオキシ−６−パー−クロロガンマシクロデキストリンである、前記の請求項のいずれかに記載の方法。
【請求項２５】
パーデオキシ−６−パー−クロロガンマシクロデキストリンを３−メルカプトプロピオン酸および水酸化ナトリウムと反応させて、スガマデクスを得ることを含む、スガマデクスの製造方法。
【請求項２６】
６−パーデオキシ−６−パー−クロロガンマシクロデキストリンを、リチウムアミド、ナトリウムアミド（ソーダアミド）またはカリウムアミドから選択されるアルカリ金属アミドの存在下で、３−メルカプトプロピオン酸と反応させることを含む、スガマデクスの製造方法。
【請求項２７】
（ａ）３−メルカプトプロピオン酸および水酸化カリウムを、ジメチルホルムアミドの存在下で反応させて、３−メルカプトプロピオン酸のカリウム塩の溶液を得ること
ｂ）ステップａ）で得られた３−メルカプトプロピオン酸のカリウム塩を、パーデオキシ−６−パー−ハロガンマシクロデキストリンで処理し、スガマデクスの酸のカリウム塩を含む生成物を得ること
（ｂ）ステップｃ）の化合物を酸で処理し、式（ＩＶ）の化合物を得ること；
（ｃ）式（ＩＶ）の化合物を水酸化ナトリウムと反応させて、式（Ｉ）のスガマデクスを得ること
を含む、スガマデクスの製造方法。
【請求項２８】
パーデオキシ−６−パー−クロロガンマシクロデキストリンを、水酸化カリウムの存在下で、３−メルカプトプロピオン酸と反応させて、スガマデクスの酸のカリウム塩を含む生成物を得て、これを順次、酸で処理し、スガマデクスの酸に変換し、さらにスガマデクスに変換することを含む方法によって製造された、少なくとも９５％の純度を有するスガマデクス。
【発明の詳細な説明】
【技術分野】
【０００１】
本発明は、スガマデクスナトリウムの合成に有用な、重要な中間体である、６−パーデオキシ−６−パー−クロロガンマシクロデキストリンの製造方法に関する。本発明はまた、前記の中間体からのスガマデクスナトリウムの製造方法に関する。
【背景技術】
【０００２】
スガマデクス（Ｏｒｇ ２５９６９、Ｂｒｉｄｉｏｎ）は、シクロオクタキス−（１−→４）−［６−Ｓ−（２−カルボキシエチル）−６−チオ−α−Ｄ−グルコピラノシル］として化学的に知られている。スガマデクスは、全身麻酔において、神経筋遮断剤（ＮＭＢＡ）ロクロニウム、ベクロニウム、パンクロニウムによる神経筋遮断を回復させるための薬剤である。これは最初の選択的弛緩薬結合剤（ＳＲＢＡ）である。ＳＲＢＡは、ＮＭＢＡを選択的に封入し、結合する、新たな種類の薬物である。用語「スガマデクス」は、Ｓｕ＝糖、およびＧａｍｍａ ｃｙｃｌｏｄｅｘ＝シクロデキストリンに由来する。スガマデクスは化学的に不活性であり、いずれの受容体にも結合しない。これは、ステロイド性のＮＭＢＤを迅速に封入することによって作用し、１：１の比で安定な複合体を形成し、それによって、血漿からの遊離薬物の濃度を減少させる。これによって、残存するロクロニウム分子が、神経筋接合部から血漿へ戻る動きを助ける濃度勾配が生じ、そこで遊離のスガマデクス分子によって封入される。後者の分子はまた、組織に導入され、ロクロニウムと複合体を形成する。そのため、ロクロニウムの神経筋遮断は、神経筋接合部から血漿へ、ロクロニウムが拡散することによって迅速に終了する。
【０００３】
ＮＭＢＤは、少なくとも１個の帯電した窒素原子を有する４級アンモニウム化合物である。シクロデキストリンは親油性中心を有するが、表面で負に帯電したイオンに起因する親水性の外側コアを有する。スガマデクスの表面における、これらの負に帯電したイオンは、４級アンモニウム弛緩剤の陽電荷を引きつけ、薬物をシクロデキストリンの中核に引きつける。ゲスト分子の、ホストシクロデキストリンへの結合は、ファンデルワールス力、疎水性および静電相互作用によって生じる。シクロデキストリンの構造は、ステロイド性弛緩薬の４つ全ての疎水性の環が、ドーナツ型の同心円にしっかりとはまり、包接複合体を形成したものである。これは、熱量測定およびＸ線結晶解析によって確認した。このような反応は、神経筋接合部ではなく、血漿中で起こり、血漿中の遊離のロクロニウムの濃度は、スガマデクスの投与の後に急速に減少する。
【０００４】
ＵＳ６６７０３４０は、スガマデクスナトリウムの製造方法を開示する。本特許の実施例４において開示される方法は、水素化ナトリウムおよびＤＭＦの存在下で、ヨードγ−シクロデキストリン中間体を３−メルカプトプロピオン酸と反応させて、６−パー−デオキシ−６−パー−（３−カルボキシエチル）チオ−γ−シクロデキストリン、ナトリウム塩（スガマデクスナトリウム）を得ることに関する。ヨード中間体、６−パー−デオキシ−６−パー−ヨード−γ−シクロデキストリンの合成は、トリフェニルホスフィン（ＰＰｈ３）およびＤＭＦの存在下、γ−シクロデキストリンとヨウ素との反応に関する、実施例３において提示される通りである。実際には、および、ラボスケールから製造スケールに用いられる方法を開発するために、純度は最も重要な基準の１つである。この方法は、トリフェニルホスフィン試薬の使用に関するので、副生成物としてトリフェニルホスフィンオキシドの形成がある。反応塊からのトリフェニルホスフィンオキシドの除去は、溶媒による洗浄を繰り返す必要があるため、とても難しく、最終生成物のスガマデクスナトリウムの収率の不一致が生じる。さらに、生成物を３６時間透析して、純粋な化合物を得た。透析精製は、高価であり、生成物を低収率で生じるため、このような方法は、製造スケールでは実現可能ではなく、経済的ではない。
【０００５】
ＷＯ２０１２０２５９３７において開示される、中間体化合物、６−パーデオキシ−６−パー−クロロガンマシクロデキストリンを製造するための別の方法は、リンハライド、特に、リンペンタクロライドの使用に関する。ＷＯ２０１２０２５９３７はまた、ａ）ガンマ−シクロデキストリンをリンペンタクロライドおよびジメチルホルムアミドと反応させて、６−パーデオキシ−６−パー−クロロガンマシクロデキストリンを得ること、並びにｂ）６−パーデオキシ−６−パー−クロロガンマシクロデキストリンを、アルカリ金属ハイドライドおよび有機溶媒の存在下で、３−メルカプトプロピオン酸と反応させて、スガマデクスナトリウムを得ることに関する、この中間体を用いたスガマデクスナトリウムの製造方法を開示する。リンペンタクロライドを用いた、クロロガンマシクロデキストリン中間体の製造は、反応中、除去するのが困難で、面倒な処理手順を伴うリン不純物の形成に関する。
【０００６】
ＷＯ２０１４１２５５０１は、リンペンタクロライドを用いた６−パーデオキシ−６−パー−クロロガンマシクロデキストリンの製造を開示する（実施例１を参照されたい）。本特許出願の実施例１において提示される方法を、本発明者は繰り返した。第一ステップは、粉末形態でなく、流動性のない、黄色から褐色の塊を生じた。塊は時にペースト状であり、濾過することが困難であった。このように、方法は不純物を含み、面倒であった。全体として、一貫した生成物は得られなかった。ＷＯ２０１４１２５５０１はまた、ナトリウムメトキシドなどのアルカリ金属アルコキシド、および有機溶媒の存在下、６−パーデオキシ−６−パー−ハロ−ガンマ−シクロデキストリンと、３−メルカプトプロピオン酸との反応に関する、この中間体を用いたスガマデクスナトリウムの製造を開示し、この反応の欠点は、反応を完了させるために無水条件が必要なことである。
【０００７】
不純物の生成および、純粋な化合物の少量の生成は、スガマデクスの主要な欠点であることが報告されている。出願人Ｎｉｐｐｏｎ Ｏｒｇａｎｏｎ Ｋ．Ｋが、厚生労働省医薬品食品安全局評価・許認可課に提出した「審議結果報告書」では、以下のように述べられている：
関連物質について、１４の異なる関連物質（関連物質Ａ、組織４８３０１、関連物質Ｂ、関連物質Ｄ、関連物質Ｅ、関連物質Ｆ、関連物質Ｇ、関連物質Ｈ、関連物質Ｉ、関連物質Ｊ、関連物質Ｋ、関連物質Ｌ、関連物質Ｍ、関連物質Ｎ）、他の個別の関連物質、および全ての関連物質についての明細書が提出される。規制審査の過程で、バッチ分析の結果に基づいて、４つの異なる関連物質（関連物質Ａ、関連物質Ｄ、関連物質Ｆ、関連物質Ｇ）に限定する明細書を変更した。関連物質（分解産物）について、関連物質Ｅ、関連物質Ｉ、関連物質Ｃ、関連物質Ｇ、関連物質Ｄ、関連物質Ｋ、他の個別の分解産物、および全ての分解産物についての明細書が定められた。規制審査の過程で、＊＊＊（隠された部分）工程で生じる、不純物Ａについての明細書が新たに提出され、バッチ分析および安定性試験の結果に基づいて、個別の分解生成物を限定する明細書が変更された。
薬物生成物の色の変化（淡黄褐色が暗くなった）の原因を、液体クロマトグラフィー−紫外−可視吸光度測定（ＬＣ−ＵＶ／ＶＩＳ）および液体クロマトグラフィー−質量分析（ＬＣ−ＭＳ）を用いて調査したところ、単一の分解産物ではなく、微量の様々な不特定の分解産物（同定されていない）が含まれており、製剤開発において調査した＊＊＊に加えて、＊＊＊および＊＊＊の原薬の内容物、薬物生成物の製造の間の＊＊＊および＊＊＊、並びに＊＊＊が、薬物生成物の色に影響すると考えられることが示唆された。そのため、＊＊＊および＊＊＊は原薬の明細書に含まれ、関連する製造方法のステップが改善された。
【０００８】
前記を考慮して、スガマデクスが分解する傾向にあるだけでなく、微量の分解不純物が影響して色が黄褐色に変化し、品質が許容できなくなることは明らかである。そのため、純粋なスガマデクスナトリウムの製造方法を慎重に選択することが重要である。
【０００９】
報告されたスガマデクスナトリウムの精製技術は、大規模操作では高価で不便なカラムクロマトグラフィーおよび膜透析を用いる。そのため、本明細書で論じられるような、報告されたスガマデクスナトリウムの製造方法は、時間がかかり、非経済的であり、工業的に実行可能でない。
そのため、単純で、便利で、簡単な処理手順を含み、経済的に効率が良いスガマデクスナトリウムの製造方法であって、スガマデクスナトリウムを高収率および高純度で生じる方法が提示される必要がある。
【００１０】
本発明の対象
本発明の目的は、スガマデクスナトリウムの製造に用いられる重要な中間体である６−パーデオキシ−６−パー−クロロガンマシクロデキストリンの製造方法を提示することである。
本発明の他の目的は、スガマデクスナトリウムの製造方法を提示することである。
本発明の他の目的は、スガマデクスナトリウムを高収率および高純度で製造するための新規な方法を提示することである。
本発明の他の目的は、工業規模で便利に用いられる試薬の使用に関する、簡易なスガマデクスナトリウムの製造方法を提示することである。
【発明の概要】
【００１１】
ある局面において、本発明は、スガマデクスナトリウムの製造に用いる重要な中間体である、６−パーデオキシ−６−パー−ハロガンマシクロデキストリンの製造方法を提示する。
【００１２】
別の局面において、本発明は、ジメチルホルムアミドの存在下、ガンマシクロデキストリンをトリホスゲンと反応させることを含む、６−パーデオキシ−６−パー−クロロガンマシクロデキストリンの製造方法を提示する。
【００１３】
別の局面において、本発明は、ジメチルホルムアミドの存在下、オキサリルクロリドおよびオキサリルブロミドなどのオキサリルハライドを用いた、６−パーデオキシ−６−パー−ハロガンマシクロデキストリン、以下スガマデクスのハロ中間体の製造方法を提示する。好ましくは、ハロ中間体はパーデオキシ−６−パー−クロロガンマシクロデキストリン、以下スガマデクスのクロロ中間体である。
【００１４】
別の局面において、本発明は、６−パーデオキシ−６−パー−クロロガンマシクロデキストリンをメルカプトプロパン酸およびソーダアミドと反応させることを含む、スガマデクスナトリウムの製造方法を提示する。
【００１５】
別の局面において、本発明は、６−パーデオキシ−６−パー−クロロガンマシクロデキストリンをメルカプトプロパン酸および水酸化ナトリウムなどの無機塩基と反応させることを含む、スガマデクスの製造方法を提示する。
【００１６】
別の局面において、本発明は、ａ）ジメチルホルムアミドの存在下で、３−メルカプトプロピオン酸および水酸化カリウムを反応させて、３−メルカプトプロピオン酸のカリウム塩の溶液を得ること、ｂ）ステップａ）で得られた３−メルカプトプロピオン酸のカリウム塩を、パーデオキシ−６−パー−ハロガンマシクロデキストリンで処理して、スガマデクスの酸のカリウム塩を含む生成物を得ること、ｃ）スガマデクスのカリウム塩を酸で処理して、対応するスガマデクスの酸を得て、これを水酸化ナトリウムなどの無機塩基で処理して、スガマデクスナトリウムを得ることを含む、スガマデクスの製造方法を提示する。
【００１７】
別の局面において、本発明は、対応する酸のカリウム塩を製造するステップを含む、そのような酸からスガマデクスを製造する方法を提示する。
【００１８】
別の局面において、本発明はスガマデクスナトリウムの製造方法を提示する。
【００１９】
別の局面において、本発明は純粋なスガマデクスを、９０％より高い純度、好ましくは９５％より高い純度で提供する。
【図面の簡単な説明】
【００２０】
【図１】図１は６−パーデオキシ−６−パー−クロロガンマシクロデキストリンのＨＰＬＣプロファイルである。
【図２】図２は６−パーデオキシ−６−パー−クロロガンマシクロデキストリンの１ＨＮＭＲである。
【図３】図３は９９％より高い純度を有するスガマデクスナトリウムのＨＰＬＣプロファイルである。
【図４】図４は実施例５に従って合成したスガマデクスナトリウムのＨＰＬＣプロファイルである。
【図５】図５は実施例６に従って合成したスガマデクスナトリウムのＨＰＬＣプロファイルである。
【図６】図６は実施例６に従って合成したスガマデクスの１ＨＮＭＲである。
【図７】図７は実施例６に従って合成したスガマデクスの１３ＣＮＭＲである。
【図８】図８はスガマデクス酸（式ＩＶの化合物）のＨＰＬＣプロファイルである。
【図９】図９は式ＩＶの化合物の１ＨＮＭＲである。
【図１０】図１０は式ＩＶの化合物の１３ＣＮＭＲである。
【図１１】図１１は実施例８に従って合成したスガマデクスのＨＰＬＣプロファイルである。
【図１２】図１２は実施例８に従って合成したスガマデクスの１ＨＮＭＲである。
【図１３】図１３はＷＯ２０１４１２５５０１の実施例１の方法に従って合成したスガマデクスのＨＰＬＣプロファイルである。
【発明を実施するための形態】
【００２１】
発明の詳細な説明
本発明は、スガマデクスの製造において有用な、重要な中間体であるスガマデクスのハロ中間体、好ましくはスガマデクスのクロロ中間体の製造方法を提示する。さらに、本発明は、この中間体を用いたスガマデクスの製造方法を提示する。
【００２２】
ハロ中間体の製造方法
第一の局面において、本発明は、ジメチルホルムアミドの存在下で、ガンマシクロデキストリンをトリホスゲンと反応させて、６−パーデオキシ−６−パー−クロロガンマシクロデキストリンを得ることを含む、６−パーデオキシ−６−パー−クロロガンマシクロデキストリンの製造方法を提示する。
【００２３】
本発明の実施態様において、ガンマシクロデキストリンとトリホスゲンとの反応は、ジメチルホルムアミド（ＤＭＦ）の存在下、６０−８０℃の範囲の温度で行われる。反応は１２から１８時間にわたって行われる。このプロセスを以下のスキーム１に描写する。
【化１】
2018518589.tif 000002
【００２４】
第二の局面において、本発明は、ジメチルホルムアミドの存在下で、式ＩＩのガンマ−シクロデキストリンを、オキサリルクロリドまたはオキサリルブロミド、好ましくはオキサリルクロリドなどのオキサリルハライドと反応させて、スガマデクスのハロ中間体、好ましくはスガマデクス（ＩＩＩ）のクロロ中間体を得ることを含む、スガマデクスのハロ中間体の製造方法が提示される。
【００２５】
ある実施態様において、ジメチルホルムアミド（ＤＭＦ）の存在下で、式（ＩＩ）のガンマ−シクロデキストリンをオキサリルクロリドと反応させて、スガマデクスのクロロ中間体を得て、適宜スガマデクスのクロロ中間体を精製する。反応は、６０−８０℃の範囲の温度で行われる。反応は１２−１８時間にわたって行われる。
パーデオキシ−６−パー−クロロガンマシクロデキストリンの精製は、パーデオキシ−６−パー−クロロガンマシクロデキストリンをメタノールなどのアルコール性溶媒中に懸濁させて、懸濁液を攪拌し、濾過して、純粋なパーデオキシ−６−パー−クロロガンマシクロデキストリンを得ることに関する。
本発明によって得られた純粋なパーデオキシ−６−パー−クロロガンマシクロデキストリンは、９８％より高い純度を有する。
この方法を、以下のスキーム２に描写する。
【化２】
2018518589.tif 000003
【００２６】
スガマデクスナトリウムの製造方法
第三の局面において、本発明はスガマデクスナトリウムの製造方法を提示する。
【００２７】
本発明において、純粋なスガマデクスナトリウムは、単純な処理手順を伴う簡単で便利な方法を用いて、着色不純物並びに、報告される方法において用いられるようなカラムクロマトグラフィーおよび透析などの精製技術を回避して、製造される。
【００２８】
ある実施態様において、リチウムアミド、ナトリウムアミド（ソーダアミド）またはカリウムアミドから選択されるアルカリ金属アミドの存在下で、６−パーデオキシ−６−パー−クロロガンマシクロデキストリン（式ＩＩ）を３−メルカプトプロピオン酸と反応させて、スガマデクスナトリウムを得ることを含む、スガマデクスナトリウムの製造方法。
【化３】
2018518589.tif 000004
【００２９】
ある実施態様において、ソーダアミドの存在下で、６−パーデオキシ−６−パー−クロロガンマシクロデキストリンを３−メルカプトプロピオン酸と反応させて、スガマデクスナトリウムを得ることを含む、スガマデクスナトリウムの製造方法。
【００３０】
別の実施態様において、スガマデクスナトリウムの製造方法は、以下を含む：
ａ）ジメチルホルムアミドの存在下で、ガンマシクロデキストリンをトリホスゲンと反応させて、６−パーデオキシ−６−パー−クロロガンマシクロデキストリンを得ること；
ｂ）リチウムアミド、ナトリウムアミド（ソーダアミド）またはカリウムアミドから選択されるアルカリ金属アミドの存在下で、６−パーデオキシ−６−パー−クロロガンマシクロデキストリンを３−メルカプトプロピオン酸と反応させて、スガマデクスナトリウムを得ること。
【００３１】
ある実施態様において、スガマデクスナトリウムの製造方法のステップａ）は、６０−８０℃の範囲の温度で行われる。
【００３２】
別の実施態様において、当該方法のステップａ）は、ジメチルホルムアミド（ＤＭＦ）の存在下で行われる。別の実施態様において、当該方法のステップａ）の反応は、１２から１８時間にわたって行われる。
【００３３】
ある実施態様において、スガマデクスナトリウムの製造方法のステップｂ）は、６０−１００℃の範囲の温度で行われる。別の実施態様において、当該方法のステップｂ）の反応は、９から１８時間にわたって行われる。別の実施態様において、当該方法のステップｂ）は、ＤＭＦ、アセトニトリルおよびジメチルスルホキシド（ＤＭＳＯ）から成る群から選択される適切な有機溶媒の存在下で行われる。
【００３４】
スガマデクスナトリウムの製造方法は、本明細書に記載の２ステップ反応である。
【００３５】
第一ステップにおいて、６−パーデオキシ−６−パー−クロロガンマシクロデキストリンは、ジメチルホルムアミドの存在下で、ガンマシクロデキストリンをトリホスゲンと反応させることによって製造される。トリホスゲンは、本発明の方法において以下の利点を有する。
１．リンハライドよりも扱いが便利である。
２．トリフェニルホスフィンの使用および、それによる副生成物としてのトリフェニルホスフィンオキシドの形成が回避され、それにより当該方法が工業的に実行可能になる。
３．面倒な処理手順を必要としない。
４．報告された方法で得られる黄褐色化合物と比較して、白色の化合物として６−パーデオキシ−６−パー−クロロガンマシクロデキストリンを生じる。
５．６−パーデオキシ−６−パー−クロロガンマシクロデキストリンは、先行技術のペースト状の塊（褐色）と比較して、流動性粉末である。
【００３６】
第二ステップにおいて、リチウムアミド、ナトリウムアミド（ソーダアミド）またはカリウムアミドから選択されるアルカリ金属アミド、好ましくはナトリウムアミドの存在下で、６−パーデオキシ−６−パー−クロロガンマシクロデキストリンは、３−メルカプトプロピオン酸と反応して、スガマデクスナトリウムを生じる。
【００３７】
別の実施態様において、スガマデクスナトリウムの製造方法は、リチウムアミドまたはカリウムアミドから選択されるアルカリ金属アミドの存在下で、６−パーデオキシ−６−パー−クロロガンマシクロデキストリンを３−メルカプトプロピオン酸と反応させて、対応するスガマデクスの塩を得ることを含む。対応するスガマデクスの塩は、塩酸などの酸を用いて、スガマデクスの酸に変換される。スガマデクスの酸は、水酸化ナトリウムなどのアルカリヒドロキシドと処理することで、スガマデクスナトリウムを生じる。
【００３８】
別の実施態様において、６−パーデオキシ−６−パー−クロロガンマシクロデキストリンと３−メルカプトプロピオン酸との反応は、ナトリウムアミド（ソーダアミド）およびジメチルホルムアミドの存在下で行われる。
【００３９】
本発明の方法においてソーダアミドを用いる主な利点は、反応で形成される不純物の形成が抑制され、ナトリウムメトキシドおよび水素化ナトリウムなどの塩基を用いて合成するよりも少ないことである。目的の生成物のスガマデクスナトリウムは、高収率および、少なくとも９０％の高純度で得られた。スガマデクスナトリウムは、例えば分取ＨＰＬＣによって精製して、９９％より高い純度の純粋なスガマデクスナトリウムを得ることができる。
【００４０】
別の実施態様において、スガマデクスナトリウムの製造方法は、以下のステップを含む：
ａ）ジメチルホルムアミドの存在下で、ガンマシクロデキストリンをトリホスゲンと反応させて、６−パーデオキシ−６−パー−クロロガンマシクロデキストリンを得ること；
ｂ）リチウムアミド、ナトリウムアミド（ソーダアミド）またはカリウムアミドおよびジメチルホルムアミドから選択されるアルカリ金属アミドの存在下で、６−パーデオキシ−６−パー−クロロガンマシクロデキストリンを３−メルカプトプロピオン酸と反応させて、スガマデクスナトリウムを得ること；
ｃ）適宜、スガマデクスナトリウムを精製して、純粋なスガマデクスナトリウムを得ること。
【００４１】
別の実施態様において、本発明は、以下のステップを含む、スガマデクスナトリウムの製造方法を提示する：
ａ）ジメチルホルムアミドの存在下で、ガンマ−シクロデキストリンをトリホスゲンと反応させて、パーデオキシ−６−パー−クロロガンマシクロデキストリンを得ること；
ｂ）水酸化ナトリウムの存在下で、パーデオキシ−６−パー−クロロガンマシクロデキストリンを３−メルカプトプロピオン酸と反応させて、スガマデクスナトリウムを生成すること；
ｃ）適宜、スガマデクスナトリウムを精製すること。
【００４２】
別の実施態様において、本発明は、以下のステップを含む、スガマデクスナトリウムの製造方法を提示する：
ａ）ジメチルホルムアミドの存在下で、ガンマ−シクロデキストリンをトリホスゲンと反応させて、パーデオキシ−６−パー−クロロガンマシクロデキストリンを得ること；
ｂ）ジメチルホルムアミドの存在下で、３−メルカプトプロピオン酸および水酸化カリウムを反応させて、３−メルカプトプロピオン酸のカリウム塩の溶液を得ること；
ｃ）ステップｂ）で得られた３−メルカプトプロピオン酸のカリウム塩を、スガマデクスのハロ中間体、好ましくは、式ＩＩＩのスガマデクスのクロロ中間体で処理して、スガマデクスの酸のカリウム塩を含む生成物を得ること；
ｄ）ステップｃ）の化合物を酸で処理して、式（ＩＶ）の化合物を得ること；
ｅ）式（ＩＶ）の化合物を水酸化ナトリウムと反応させて、スガマデクスナトリウムを得ること；
ｆ）適宜、スガマデクスナトリウムを精製すること。
【００４３】
別の実施態様において、スガマデクスの製造方法は、スガマデクスのハロ中間体、好ましくは６−パーデオキシ−６−パー−クロロガンマシクロデキストリンを、３−メルカプトプロピオン酸および水酸化ナトリウムと反応させて、式（Ｉ）のスガマデクスを得ることを含む。
【００４４】
反応は、ジメチルホルムアミド（ＤＭＦ）、ジメチルアセトアミド（ＤＭＡ）、Ｎ−メチルピロリドン（ＮＭＰ）およびジメチルスルホキシド（ＤＭＳＯ）から選択される溶媒から成る群から選択される有機溶媒の存在下で行われる。反応は、７０−９０℃の範囲の温度で１６−２０時間行われる。この方法を、以下のスキーム４に描写する。
【化４】
2018518589.tif 000005
【００４５】
別の実施態様において、本発明は、以下を含む、式（ＩＶ）のスガマデクスの酸の製造方法を提示する：
ａ）スガマデクスのハロ中間体、好ましくは式ＩＩＩのスガマデクスのクロロ中間体を、３−メルカプトプロピオン酸および水酸化カリウムと反応させて、スガマデクスの酸のカリウム塩を含む生成物を得ること
ｂ）ステップａ）で得られた化合物を酸で処理して、式（ＩＶ）の化合物を生成すること；
【化５】
2018518589.tif 000006
【００４６】
別の実施態様において、本発明は以下を含む、式（ＩＶ）のスガマデクスの酸の製造方法を提示する：
ａ）ジメチルホルムアミドの存在下で、３−メルカプトプロピオン酸および水酸化カリウムを反応させて、３−メルカプトプロピオン酸のカリウム塩の溶液を得ること
ｂ）ステップａ）で得られた３−メルカプトプロピオン酸のカリウム塩を、スガマデクスのハロ中間体、好ましくは式ＩＩＩのスガマデクスのクロロ中間体で処理して、スガマデクスの酸のカリウム塩を含む生成物を得ること
ｃ）ステップｂ）で得られた化合物を、酸で処理して、式（ＩＶ）の化合物を得ること。
【００４７】
別の実施態様において、本発明は式（ＩＶ）のスガマデクスの酸を、水酸化ナトリウムと反応させて、式（Ｉ）のスガマデクスナトリウムを生成することを含む、スガマデクスの製造方法を提示する。
【化６】
2018518589.tif 000007
【００４８】
用語「式（Ｉ）の化合物」および「スガマデクス」および「スガマデクスナトリウム」は、本明細書で同義に用いられ、用語「式（ＩＶ）の化合物」および「スガマデクス酸」およびスガマデクスの酸は本明細書で同義に用いられる。
化合物、６−パーデオキシ−６−パー−ハロガンマシクロデキストリンおよびスガマデクスのハロ中間体は、本明細書で同義に用いられる。
６−パーデオキシ−６−パー−クロロガンマシクロデキストリンおよびスガマデクスのクロロ中間体は、本明細書で同義に用いられる。
【００４９】
別の実施態様において、スガマデクスナトリウムの製造方法は以下を含む：
ａ）ガンマ−シクロデキストリンを、トリホスゲンまたはオキサリルクロリドと、ＤＭＦの存在下、６０−８０℃の温度で、１２−１８時間にわたって反応させて、スガマデクスのクロロ中間体を得ること；
ｂ）スガマデクスのクロロ中間体を、スガマデクスナトリウムに変換すること。
【００５０】
本発明の別の実施態様において、スガマデクスのクロロ中間体、６−パーデオキシ−６−パー−クロロガンマシクロデキストリンの、スガマデクスナトリウムへの変換は、以下を含む：
水酸化ナトリウムの存在下で、６−パーデオキシ−６−パー−クロロガンマシクロデキストリンを、３−メルカプトプロピオン酸と反応させて、スガマデクスナトリウムを得ること；
あるいは
リチウムアミド、ナトリウムアミド（ソーダアミド）またはカリウムアミドから選択されるアルカリ金属アミドの存在下で、６−パーデオキシ−６−パー−クロロガンマシクロデキストリンを３−メルカプトプロピオン酸と反応させて、スガマデクスを得ること
あるいは
（ａ）ジメチルホルムアミドの存在下で、３−メルカプトプロピオン酸および水酸化カリウムを反応させて、３−メルカプトプロピオン酸のカリウム塩の溶液を得ること
（ｂ）ステップａ）で得られた３−メルカプトプロピオン酸のカリウム塩を、スガマデクスのハロ中間体、好ましくは式ＩＩＩのスガマデクスのクロロ中間体で処理して、スガマデクスの酸のカリウム塩を含む生成物を得ること
（ｃ）ステップｂ）で得られた生成物を、酸で処理して、式（ＩＶ）の化合物を得ること；
（ｄ）式（ＩＶ）の化合物を、水酸化ナトリウムと反応させて、式（Ｉ）のスガマデクスナトリウムを得ること。
【００５１】
別の実施態様において、スガマデクスナトリウムの製造方法は、以下を含む：
ａ）ジメチルホルムアミドの存在下で、ガンマシクロデキストリンをオキサリルクロリドと反応させて、６−パーデオキシ−６−パー−クロロガンマシクロデキストリンを得ること；
ｂ）リチウムアミド、ナトリウムアミド（ソーダアミド）またはカリウムアミドから選択されるアルカリ金属アミドの存在下で、６−パーデオキシ−６−パー−クロロガンマシクロデキストリンを３−メルカプトプロピオン酸と反応させて、スガマデクスナトリウムを得ること。
【００５２】
ある実施態様において、当該方法のステップａ）は、６０−８０℃の範囲の温度で行われる。別の実施態様において、当該方法のステップａ）は、１２から１８時間にわたって行われる。ある実施態様において、当該方法のステップｂ）は、６０−１００℃の範囲の温度で行われる。別の実施態様において、当該方法のステップｂ）の反応は、９から１８時間にわたって行われる。別の実施態様において、当該方法のステップｂ）は、ＤＭＦ、アセトニトリルおよびジメチルスルホキシド（ＤＭＳＯ）から成る群から選択される適切な有機溶媒の存在下で行われる。
【００５３】
ある実施態様において、当該方法のステップｂ）は、ナトリウムアミド（ソーダアミド）の存在下で、６−パーデオキシ−６−パー−クロロガンマシクロデキストリンを３−メルカプトプロピオン酸と反応させて、スガマデクスナトリウムを得ることを含む。
【００５４】
ある実施態様において、当該方法のステップｂ）は、リチウムアミドまたはカリウムアミドの存在下で、６−パーデオキシ−６−パー−クロロガンマシクロデキストリンを３−メルカプトプロピオン酸と反応させて、対応するスガマデクスの塩を得て、塩酸などの酸を用いて得られたスガマデクスの酸の塩を変換し、得られたスガマデクスの酸を水酸化ナトリウムなどのアルカリヒドロキシドで処理し、スガマデクスナトリウムを得ることを含む。
【００５５】
別の実施態様において、本発明は以下のステップを含む、スガマデクスナトリウムの製造方法を提示する：
ａ）ジメチルホルムアミドの存在下で、ガンマ−シクロデキストリンをトリホスゲンまたはオキサリルクロリドと反応させて、パーデオキシ−６−パー−クロロガンマシクロデキストリンを得ること；
ｂ）水酸化ナトリウムの存在下で、パーデオキシ−６−パー−クロロガンマシクロデキストリンを３−メルカプトプロピオン酸と反応させて、スガマデクスナトリウムを生成すること；
ｃ）適宜スガマデクスナトリウムを精製すること。
ステップａ）の反応は、６０−８０℃の範囲の温度で行われる。
ステップａ）の反応は、１２−１８時間にわたって行われる。
ステップｂ）の反応は、ジメチルホルムアミド（ＤＭＦ）、ジメチルアセトアミド（ＤＭＡ）、Ｎ−メチルピロリドン（ＮＭＰ）およびジメチルスルホキシド（ＤＭＳＯ）から成る群から選択される有機溶媒の存在下で行われる。
ステップｂ）の反応は、７０−９０℃の範囲の温度で行われる。
ステップｂ）の反応は、１６−２０時間にわたって行われる。
ステップｃ）におけるスガマデクスの精製は、以下のステップを含む；
１）スガマデクスナトリウムを第一溶媒に溶解させて、溶液を得ること
２）得られた溶液を活性化炭素で処理すること
３）ステップｉｉ）の溶液を濾過して、濾液を分離すること、および
４）ステップｉｉｉ）の濾液に第二溶媒を加え、純粋なスガマデクスナトリウムを得ること。
精製方法において用いられる第一溶媒は、水、アセトン、ＤＭＦ、メタノール、エタノールおよびイソプロパノールなどのアルコール、並びに／またはそれらの混合物から成る群から選択される。
精製方法において用いられる第二溶媒は、アセトン、メタノール、アセトニトリルまたはそれらの混合物から選択される。
精製ステップは、５０−８０℃の範囲の温度で行われる。この精製によって得られるスガマデクスナトリウムは、９０％より高い純度を有する。
【００５６】
別の方法において、スガマデクスは分取ＨＰＬＣ法によって精製される。ある実施態様において、分取ＨＰＬＣ法によるスガマデクスの精製は、スガマデクスの精製のための、スガマデクスの酸の使用を含む。
【００５７】
スガマデクスナトリウムの精製のための当該方法は、以下の反応スキーム７によって描写する。
【化７】
2018518589.tif 000008
【００５８】
別の実施態様において、本発明は、以下のステップを含む、スガマデクスナトリウムの製造方法を提示する：
ａ）ジメチルホルムアミドの存在下で、ガンマ−シクロデキストリンをオキサリルクロリドと反応させて、式（ＩＩＩ）のスガマデクスのクロロ誘導体を得ること；
ｂ）ジメチルホルムアミドの存在下で、３−メルカプトプロピオン酸および水酸化カリウムを反応させて、３−メルカプトプロピオン酸のカリウム塩の溶液を得ること
ｃ）ステップｂ）で得られた３−メルカプトプロピオン酸のカリウム塩を、スガマデクスのハロ中間体、好ましくは式ＩＩＩのスガマデクスのクロロ中間体で処理して、スガマデクス酸のカリウム塩を含む生成物を得ること
ｄ）ステップｃ）の生成物を酸で処理して、式（ＩＶ）の化合物を得ること；
ｅ）式（ＩＶ）の化合物を水酸化ナトリウムで処理して、スガマデクスナトリウムを得ること。
ステップａ）の反応は、６０−８０℃の範囲の温度で行われる。ステップａ）の反応は、１２−１８時間にわたって行われる。
ステップｂ）の反応は、ジメチルホルムアミド（ＤＭＦ）、ジメチルアセトアミド（ＤＭＡ）、Ｎ−メチルピロリドン（ＮＭＰ）およびジメチルスルホキシド（ＤＭＳＯ）から選択される有機溶媒の存在下で行うことができる。
ステップｂ）の反応は、０−１０℃、好ましくは０−５℃で行われる。
【００５９】
ステップｂ）およびｃ）の反応において、ハロ中間体化合物およびメルカプトプロピオン酸、並びにハロ中間体化合物および水酸化カリウムは、それぞれ、少なくとも１：１５および少なくとも１：３０、好ましくは、それぞれ少なくとも１：２０および１：４０、最も好ましくは、それぞれ少なくとも１：２５および少なくとも１：５０のモル比で用いられる。メルカプトプロピオン酸および水酸化カリウムの比は約ｘ：ｙ、好ましくは１：２である。
ステップｃ）の反応は、８０−１４０℃の範囲の温度、好ましくは１１０−１２０℃の温度で行われる。ステップｃ）の反応は、２から６時間、好ましくは１．５−２時間にわたって行われる。
ステップｄ）で用いられる酸は塩酸である。ステップｃ）の反応は、２５−３５℃の温度で行われる。ステップｄ）の反応は、１．５−２時間にわたって行われる。
ステップｅ）の反応は、２５−３５℃の範囲の温度で行われる。ステップｅ）の反応は、０．５−２時間にわたって行われる。当該方法を、スキーム８に描写する。
【化８】
2018518589.tif 000009
前記のスキーム８による、スガマデクスナトリウムの合成方法は、以下のステップを含む；
【００６０】
ステップ１：
このステップにおいて、無水ジメチルホルムアミド（ＤＭＦ）およびオキサリルクロリドの混合物を、１時間、５℃以下の温度で攪拌し、ＤＭＦ中に溶解した乾燥ガンマ−シクロデキストリンの溶液をゆっくりとこの混合物に加える。溶液を６５−７０℃で１６時間加熱する。反応が完了した後、反応混合物を室温まで冷却し、ジイソプロピルエーテルなどの溶媒を、攪拌しながら反応混合物に加える。溶媒を除去し、得られた析出したゴム状の固形物を０から５℃に冷却し、水酸化ナトリウム水溶液をゆっくりと加えて、約ｐＨ８に中和する。反応物質を０から５℃の温度で１時間攪拌し、析出した物質を濾過し、水で洗浄する。残留物を次いで、メタノールなどの溶液中に懸濁させ、攪拌し、濾過し、ジイソプロピルエーテルなどの溶媒で洗浄し、乾燥させて、６−デオキシ−６−クロロガンマシクロデキストリンを得る。
【００６１】
ステップ２：
このステップにおいて、水酸化カリウムのＤＭＦなどの溶媒中の溶液を、０−５℃に冷却し、これに、３−メルカプトプロピオン酸のＤＭＦなどの溶媒中の溶液を加え、反応混合物の温度を０−５℃の間の温度で維持する。反応混合物を、次いで、この温度で約６０分間攪拌し、３−メルカプトプロピオン酸のカリウム塩の透明な溶液を得る。３−メルカプトプロピオン酸のカリウム塩を含む透明な溶液を、ＤＭＦ中の６−デオキシ−６−クロロガンマシクロデキストリンの溶液で処理する。混合物を約１１０−１２０℃で、約２時間加熱する。反応が完了した後、反応混合物を約４０−５０℃に冷却し、メタノールなどの溶媒で希釈する。得られた析出物を２０−２５℃で１時間攪拌し、真空で濾過する。湿った固体を次いで、激しく攪拌しながら水に溶解し、濃縮塩酸（ＨＣｌ）などの酸で酸性化する。スガマデクス酸の析出した固形物を濾過し、酢酸エチルなどの溶媒中に懸濁させ、３０分攪拌し、濾過し、乾燥する。得られたスガマデクス酸は、ＨＰＬＣによって測定したところ、９５％より高い純度を有する。
【００６２】
ステップ３
このステップにおいて、化合物、スガマデクス酸は、好ましくは水およびメタノールの溶媒の混合物中の水酸化ナトリウム溶液中に溶解する。反応混合物のｐＨを８−１０の間に保ち、メタノールなどの貧溶媒を混合物に加える。析出したスガマデクスナトリウムの固形物を濾過して、メタノールなどの溶媒で洗浄し、真空オーブンで５０℃で乾燥させる。
【００６３】
別の実施態様において、本発明は、以下のステップを含む、スガマデクスナトリウムの製造方法を提示する：
ａ）式（ＩＩＩ）のスガマデクスのクロロ誘導体を、水酸化カリウムの存在下で、３−メルカプトプロピオン酸と反応させて、スガマデクスの酸のカリウム塩を含む生成物を得ること；
ｂ）ステップｂ）の化合物を酸で処理して、式（ＩＶ）の化合物を得ること；
ｃ）式（ＩＶ）の化合物を水酸化ナトリウムと反応させて、スガマデクスナトリウムを得ること。
【００６４】
別の実施態様において、本発明は、式（ＩＶ）の化合物を２５−３５℃の温度で水酸化ナトリウムの溶液で処理して、溶液および有機溶媒を用いて析出した純粋なスガマデクスナトリウムを得ることを含む、スガマデクスナトリウムの製造方法を提示する。水酸化ナトリウムの溶液は、水酸化ナトリウムを溶媒の混合物中に溶解させることによって生成する。用いられる溶媒の混合物は、水およびメタノールである。水酸化ナトリウムの溶液を、反応液のｐＨを８−１０の間に維持する分量において加える。スガマデクスのナトリウム塩の析出のために用いられる有機溶媒は、メタノール、エタノール、イソプロパノールなど、またはこれらの混合物から選択される。この方法を、以下のスキーム９に描写する。
【化９】
2018518589.tif 000010
本発明によって製造したスガマデクスナトリウムは、ＨＰＬＣプロファイルによって特徴付けられ、９０％より高い、好ましくは９５％より高い純度を示す。
本発明において、純粋なスガマデクスナトリウムは、単純な処理手順を伴う簡単で便利な方法を用いて、副生成物／不純物の生成並びに、報告された方法において用いられるようなカラムクロマトグラフィーおよび透析などの精製技術を回避して、製造される。
【００６５】
議論されているように、出願人Ｎｉｐｐｏｎ Ｏｒｇａｎｏｎ Ｋ．Ｋは、ＡからＮの、スガマデクスについての１４個の異なる関連物質を報告した。また、生成物中に、痕跡量の不純物が残り、黄色から褐色に着色した生成物を生じうることが述べられている。着色した不純物は、簡単な洗浄によって洗い出すことはできない。それには、カラムクロマトグラフィーまたは透析またはいくつかの面倒な処理手順による精製などの特別な技術が必要である。本発明の発明者は報告された方法に従い、目的の生成物を高い純度で得ることができないことを発見した。実際に、純粋な白色の目的の生成物を得ることは非常に難しい。
【００６６】
本発明の発明者は、オキサリルクロリドおよびオキサリルブロミドなどのオキサリルハライドを用いて、ハロ中間体であるパーデオキシ−６−パー−ハロガンマシクロデキストリン、好ましくはパーデオキシ−６−パー−クロロガンマシクロデキストリンを製造し、水酸化ナトリウムを用いて、６−パーデオキシ−６−パー−ハロガンマシクロデキストリンからスガマデクスを製造した場合に、大規模での操作が容易であることを発見した。このような反応において、得られた反応混合物は、反応が完了した後の作業が簡単であった。
【００６７】
報告されている五塩化リン（ＰＣｌ５）、トリフェニルホスフィン（ＰＰｈ３）の代わりに塩化オキサリルを用い、本発明の著者がＷＯ２０１４１２５５０１において開示される方法を繰り返した場合に得られた、黄色から褐色のペースト状化合物と比較して、白色の自由流動物質を乾燥によって生じる、白色の純粋な固形物を生じるため、本発明の方法は便利である。
【００６８】
本発明の方法は、スガマデクスナトリウムの製造のために用いる水素化ナトリウムおよびナトリウムメトキシドなどの報告された塩基よりも、水酸化ナトリウムを用いて純粋なスガマデクスナトリウムを生じる。
興味深いことに、ＷＯ２０１４１２５５０１およびＷＯ２０１２０２５９３７のいずれも、それぞれの方法で製造される最終生成物のスガマデクスナトリウム中に存在する異なる不純物について言及していない。
【００６９】
スガマデクスナトリウムの精製
本発明に従って製造したスガマデクスナトリウムは、ＨＰＬＣプロファイルを用いて特徴付けられ、９５％より高い純度を示す。
反応生成物の生成はＨＰＬＣによってモニターする。本発明に従って製造したスガマデクスナトリウムは、好ましくは分取ＨＰＬＣによって精製され、９５％より高い、好ましくは９８％より高いＨＰＬＣ純度を有する、純粋なスガマデクスナトリウムを得る。
先行技術における精製技術は、大規模操作において高価で不便である、カラムクロマトグラフィー／膜透析技術を用いる。本発明の方法はさらに、スガマデクスナトリウムを高純度で生じる。
【００７０】
ある局面において、本発明はスガマデクスナトリウムの精製方法を提示する。
【００７１】
ある実施態様において、スガマデクスナトリウムを、アセトニトリルおよび水の混合物中のギ酸緩衝液を用いた、分取ＨＰＬＣ法によって精製する。最終的に、目的の画分を凍結乾燥して、９９％より高い純度のスガマデクスナトリウムを得た。
【００７２】
別の実施態様において、スガマデクスナトリウムは、粗製生成物を、水、アセトン、ＤＭＦ、メタノール、エタノールおよびイソプロパノールなどのアルコール、並びに／またはそれらの混合物から成る群から選択される適切な溶媒中に溶解させて、次いで活性炭を加えることによって精製する。得られた溶液を約３０分間攪拌して、濾過した。生成物を、アセトン、メタノール、アセトニトリルまたはそれらの混合物から選択される適切な溶媒を用いて、濾液から析出させて、９０％より高い、好ましくは９５％より高い純度を有するスガマデクスナトリウムを得る。
【００７３】
別の実施態様において、スガマデクスを分取ＨＰＬＣ法によって精製する。有利には、スガマデクスはスガマデクスナトリウムの酸を分取ＨＰＬＣ法にかけることによって精製されることが本発明者らによって発見された。当該方法の利点は、分取ＨＰＬＣによって得られるスガマデクスが、９５％より高い、好ましくは９９％より高い純度を有することである。そのようなある実施態様において、図３に示されるように、純度は９９．３６％である。
【００７４】
あるいは、本発明によって得られるスガマデクスナトリウムは、分取ＨＰＬＣ法を行うことで、９９％より高い純度を有するスガマデクスの酸を生じ、これをさらに、水酸化ナトリウムを用いてスガマデクスナトリウムに変換して、９９％より高い純度を有する純粋なスガマデクスナトリウムを生じる。
【００７５】
ＨＰＬＣ法の一般的な条件：
基本的な分取のクロマトグラフィー分離の条件は、
試薬：（１）アセトニトリル（ＨＰＬＣグレード）、（２）メタノール（ＨＰＬＣグレード）、（３）ミリＱ水、（４）ギ酸
希釈剤：ジメチルホルムアミド
粗製溶液：
適切な分量のスガマデクスの酸を取り、ＤＭＦ中に溶解させ、５分間超音波破砕し、必要に応じて濾過することによって、５００ｍｇ／ｍＬのスガマデクスの酸またはスガマデクスの溶液を調製する。
移動相−Ａ
２．０ｍＬのギ酸を、１０００ｍｌのミリＱ水に移し、よく攪拌し、超音波破砕によって脱気して用いる。
移動相−Ｂ
それぞれ、アセトニトリル、メタノール（７０：３０）の混合物。
クロマトグラフィー条件：
カラム：Ｌｕｎａ Ｃ１８（３）、１０μｍ粒子径。５０ｍｍ内径のステンレススチールの分取カラムに充填されている。
流速：３５ｍｌ／分。
検出：２１０ｎｍのＵＶ
注入量：２０ｍｌ（注入濃度に応じて、〜１０．０ｇｍｓ／注入）
運転時間：１１５分
勾配プログラム：
【表１】
2018518589.tif 000011
スガマデクスのピークの保持時間（ＲＴ）は約８５分である。
核磁気共鳴分光法（ＮＭＲ）は、Ａｖａｎｃｅ ＩＩＩ ４００ＭＨｚ ＮＭＲスペクトロメーターを用いて行われ（１００ＭＨｚにおいて取得した１３Ｃ ＮＭＲスペクトルについて）、化学シフトはδ（ｐｐｍ）において報告した。
【００７６】
本発明の方法は、少なくとも９０％、好ましくは９５％より高い、最も好ましくは９９％より高い純度を有する、純粋なスガマデクスを生じる。
【００７７】
本発明の方法の利点：
１）当該方法において、ハロシクロデキストリン中間体の製造のために、オキサリルハライドを用いることによって、副生成物が生成されないため、処理手順が著しく単純になり、得られる化合物は９８％より高い純度を有する。この方法は、リン不純物を生成し、反応混合物から除去することが困難な、ＰＰｈ３、ＰＣｌ５などのリン試薬を回避する。さらに、これらの試薬を用いることは、大規模な商業的プロセスにおいては望ましくない。
２）水酸化カリウム（ＫＯＨ）、水酸化ナトリウム（ＮａＯＨ）などの無機塩基が、反応を効率的で清潔にするために、当該方法において用いられる。報告されている水酸化ナトリウムおよびナトリウムメトキシドの使用には、無水反応条件が必要である。さらに、無水グレードの溶媒／試薬は非常に高価である。当該方法は経済的であり、反応の進行に厳密な無水条件を必要としない。
３）反応の終了に有する反応時間を大幅に減少する。
４）単純な酸塩基の処理手順によって、目的の化合物を、９５％より高い純度で生じる。
【００７８】
本発明の局面および実施態様は、以下の実施例によって説明される。しかし、当然のことながら、本発明の局面および実施態様は、それらの他のバリエーションが当業者にとって既知であり、本開示に照らして明らかであるように、これらの実施例の特定の詳細に限定されない。
【実施例】
【００７９】
実施例１
６−パーデオキシ−６−パー−クロロガンマシクロデキストリンの製造
メカニカルスターラー、容器中の温度計ポケットを備えた４つ口丸底フラスコ（２Ｌ）に、窒素雰囲気下で無水ＤＭＦ（２５０ｍＬ）を加えた。トリホスゲン（３６．５ｇ、０．１２３ｍｏｌ）をフラスコに０−１５℃で加え、混合物を１時間攪拌した。乾燥ガンマシクロデキストリン（２０ｇ、０．０１５ｍｏｌ）を、得られたスラリーに加えて、３０分攪拌し、次いで、ＤＭＦ（５０ｍＬ）を加えた。反応混合物を６５−７０℃で１６時間加熱した。反応が完了した後、反応混合物を冷却し、ジイソプロピルエーテル（８００ｍｌ）を混合物に加えて、物質を析出させた。ＤＭＦおよびジイソプロピルエーテルの混合溶媒を、反応混合物からデカントして除き、褐色のゴム状物質を得た。反応塊を飽和重炭酸ナトリウム溶液（８００ｍｌ）で処理して、固体の析出物を生じさせた。析出した固形物を濾過し、水（２５０×３ｍｌ）で洗浄して、乾燥させた。この化合物を精製することなく、次のステップで用いた。
収率：９５％、ＨＰＬＣ純度：９９％
【００８０】
実施例２
６−パーデオキシ−６−パー−クロロガンマ−シクロデキストリンの製造
スターラー、滴下漏斗、窒素導入口、およびポケットと共に温度計を備えた、５Ｌの４つ口フラスコにおいて、オキサリルクロリド（２９３．８ｇ、１９８．５ｍｌ、２３１５ｍｍｏｌ）をＤＭＦ（１２００ｍｌ）に加え、混合物を窒素下で０−５℃で維持し、次いで、２０−２５℃で１時間攪拌した。ＤＭＦ（５００ｍＬ）中のガンマ−シクロデキストリン（１００ｇ、７７．１６ｍｍｏｌ）の溶液を、前記の混合物に、窒素下、５−１０℃で加えた。混合物を６５−７０℃で、１４−１６時間攪拌した。反応が完了した後、反応混合物を２０−２５℃に冷却し、ジイソプロピルエーテル（１．２Ｌ）で希釈した。有機層をデカントし、粘性の残留物を、ｐＨ＝８まで、５−１０℃で、１０％ＮａＯＨ溶液で処理した。得られたスラリーを、１時間、２０−２５℃で攪拌した。スラリーを真空で濾過し、固形物を水（３×５００ｍＬ）で洗浄し、真空で乾燥させた。粗製物質をメタノール（７５０ｍｌ）中に懸濁させ、３０分間攪拌し、真空で濾過し、ジイソプロピルエーテル（５００ｍＬ）で洗浄した。得られた固形物をオーブンにおいて５５−６０℃で、１２−１６時間乾燥させ、表題の化合物（９５ｇ）を得た。
収率：８５％、純度：９８％、融点：２２６−２２８℃
1H NMR (400 MHz, DMSO-d6): δ 6.0 (br s., 16 H), 4.99 (m, 8 H), 4.04 (d, J = 10 Hz, 8 H), 3.87 - 3.78 (m, 16H), 3.64 - 3.56 (m, 8 H), 3.46 - 3.34 (m, 16 H) ppm.
13C NMR (100 MHz, DMSO-d6): δ 101.98, 82.93, 72.30, 72.16, 71.11, 44.92 ppm.
質量: m/z (M+Na)+ C48H72Cl8O32Naの計算値: 1463.14; 実測値: 1463.06.
【００８１】
実施例３
６−パーデオキシ−６−パー−クロロガンマ−シクロデキストリン
スターラー、滴下漏斗、窒素導入口およびポケット付き温度計を備えた、清潔で乾燥した５０Ｌのガラス反応容器に、無水ジメチルホルムアミド（１５ｍＬ、含水量ＮＭＴ ０．４％）を加えて、（ドライアイスアセトン浴を用いて）温度を０−５℃に維持した。オキサリルクロリド（２Ｌ、２３６３５ｍｍｏｌ、３０等量）をゆっくりと、４−５時間にわたって加え（温度は５℃以下に維持しながら）、攪拌を同じ温度で１時間継続した。ジメチルホルムアミド（５Ｌ）中に溶解した、乾燥ガンマ−シクロデキストリン（１．０ｋｇ、７７０．９４ｍｍｏｌ）の溶液を、前記の反応混合物にゆっくりと加えた。溶液を６５−７０℃で１６時間加熱した。反応を、一定の間隔でＴＬＣによってモニターした。反応が完了した後、反応混合物を室温まで冷却し、ジイソプロピルエーテル（１０Ｌ）を攪拌しながら反応混合物に加えた。ゴム状の固形物が析出した。上層の溶媒をデカントし、ゴム状の褐色物質を０から５℃に冷却し、水酸化ナトリウム水溶液（２０％、５Ｌ）を攪拌しながらゆっくりと加えて中和した（ｐＨ８．０）。得られたスラリーを１時間、０から５℃の温度で攪拌した。析出物を濾過し、水で洗浄し（３×２Ｌ）、真空で乾燥させた。湿ったケーキをメタノール（１０Ｌ）中に懸濁し、攪拌し、濾過し、ジイソプロピルエーテル（２Ｌ）で洗浄し、６０℃のオーブンで１４−１６時間乾燥させて、表題の化合物（９８０ｇ）を得た。
収率：８７．９％、純度：ＨＰＬＣで測定して９８．１％。
【００８２】
実施例４
スガマデクスナトリウムの製造
メカニカルスターラー、容器中の温度計ポケットを備えた４つ口丸底フラスコ（３Ｌ）に、窒素雰囲気下で、無水ＤＭＦ（３００ｍｌ）および３−メルカプトプロピオン酸（１８．３ｇ、０．１７２ｍｏｌ）を０−５℃で加え、次いで、ソーダアミド（２０ｇ、０．３８ｍｏｌ）を加えた。反応混合物を同じ温度で１時間攪拌した。６−パーデオキシ−６−パー−クロロガンマシクロデキストリン（２５ｇ、０．０１７ｍｏｌ、実施例１において得られたもの）をゆっくりと加えた。反応混合物を９０−９５℃で１６時間加熱した。反応が完了した後、反応混合物を室温まで冷却し、メタノール（３００ｍｌ）を加えた。混合物を攪拌し、析出した物質を濾過した。析出した物質を、メタノール（５０ｍｌ）および水（５０ｍｌ）の混合物中に溶解し、過剰量のメタノール（４５０ｍｌ）を加えて析出させた。固形物を濾過して、乾燥させた。収率：７６％
乾燥した固形物を、アセトニトリルおよび水（８０：２０％）の混合物中のギ酸緩衝液を用いた、分取ＨＰＬＣ法によって精製し、次いで、凍結乾燥によってスガマデクスの酸を得て、これをさらに水酸化ナトリウムを用いてスガマデクスナトリウムに変換する。
【００８３】
実施例５
スガマデクスナトリウムの製造
メカニカルスターラー、容器中の温度計ポケットを備えた４つ口丸底フラスコ（５Ｌ）中に、窒素雰囲気下で、無水ＤＭＦ（１５００ｍｌ）および３−メルカプトプロピオン酸（１１０ｇ、１０３８ｍｍｏｌ）を、０−５℃で加えて、次いで、ソーダアミド（８１ｇ、２０７７ｍｍｏｌ）を加えた。混合物を同じ温度で１時間攪拌した。６−パーデオキシ−６−パー−クロロガンマシクロデキストリン（１００ｇ、６９．２５ｍｍｏｌ、実施例１で得られたもの）をゆっくりと加えた。過剰のＤＭＦ（５００ｍｌ）を混合物に加えた。混合物の温度を８０−８５℃に上昇させ、１６時間維持した。反応が完了した後、反応混合物を室温まで冷却し、メタノール（１５００ｍｌ）を加えた。混合物を攪拌し、析出した物質を濾過して除いた。析出した物質（湿ったケーキ）を、メタノール（８００ｍｌ）および水（８００ｍｌ）の混合物中に溶解した。炭（５０ｇ）を加えて、混合物を５０−５５℃で３０分間攪拌した。溶液をセライトパッドを介して濾過した。メタノール（２５００ｍｌ）を溶液に加えて、析出した固形物を濾過し、乾燥させて、表題の化合物（１０５ｇ）を得た。収率：６９．６％、純度：８５．３％。
【００８４】
実施例６
スガマデクスナトリウムの製造
スターラー、滴下漏斗、窒素導入口、およびポケット付き温度計を備えた、清潔で乾燥した１０Ｌの４つ口フラスコに、窒素を用いた不活性雰囲気を維持しながら、水（１００ｍｌ）中に溶解した水酸化ナトリウム（８３ｇ、２０７７ｍｍｏｌ）の溶液を加えて、次いで、無水ＤＭＦ（２Ｌ）を加えた。ＤＭＦ（１Ｌ）中の３−メルカプトプロピオン酸（１１０ｇ、１０３７ｍｍｏｌ）の溶液を、０−５℃の温度を維持した窒素下で、ゆっくりと加えた。混合物をさらに１時間、この温度で攪拌した。ＤＭＦ（１Ｌ）中の６−デオキシ−６−クロロガンマシクロデキストリン（１００ｇ、６９ｍｍｏｌ）の混合物を、５−１０℃でゆっくりと加えた。得られた混合物を７５−８０℃で１６−２０時間加熱した。反応が完了した後、反応混合物を２５−３０℃に冷却し、メタノール（１．５Ｌ）を反応混合物に加えて、得られた析出物を２０−２５℃で攪拌し、濾過し、真空で乾燥させた。乾燥した固形物を水（１Ｌ）中に溶解させ、５０℃で活性化炭素（５０ｇ、５％）で処理し、攪拌して、セライトで濾過した。濾液を６０℃で攪拌し、過剰のメタノール（２．５Ｌ）をゆっくりと濾液に加えて、析出物を得た。析出した物質を真空で濾過して、白色の固形物として得て、メタノール（５００ｍｌ）で洗浄し、オーブンで乾燥させて、純粋なスガマデクスナトリウム（９０ｇ）を得た。
収率：９０ｇ、純度：９１．２％。
1H NMR (400 MHz, D2O): δ 5.09 (m, 8H); 3.98-3.94 (m, 8H); 3.88-3.83 (m, 8H); 3.58-3.52 (m, 16H); 3.07-3.01 (m, 8H); 2.92-2.87 (m, 8H); 2.78-2.74 (m, 16H); 2.34-2.47 (m, 16H) ppm.
13C NMR (100 MHz、D2O):δ 180.18, 100.60, 81.96, 72.14, 71.84, 70.72, 37.24, 32.83, 29.06 ppm. 質量: m/z (M-Na7+H6)+ C72H110NaO48S8の計算値: 2023.12; 実測値: 2023.39.
【００８５】
実施例７
スガマデクス酸（式ＩＶの化合物）の製造
スターラー、滴下漏斗、窒素導入口、およびポケット付き温度計を備えた、清潔な、乾燥した５Ｌの４つ口フラスコに、ジメチルホルムアミド（１５００ｍｌ）を加え、次いで、水酸化カリウム（１９４．０ｇ、３４６４ｍｍｏｌ）を加えて、混合物を０−５℃で維持した。ＤＭＦ（５００ｍｌ）中の３−メルカプトプロピオン酸（１８６．３５ｇ、１５３．０ｍｌ、１７５６ｍｍｏｌ）の溶液を、窒素下で、０−５℃の温度を維持しながら、３０分かけて反応容器に加えた。得られた混合物をこの温度で６０分間攪拌した。ＤＭＦ（５００ｍｌ）中の６−デオキシ−６−クロロガンマシクロデキストリン（１００ｇ、６９．２２ｍｍｏｌ）の溶液をフラスコに加えた。得られた混合物を１１０−１２０℃で１．５−２時間加熱し、反応の進行をＨＰＬＣによってモニターした。反応が完了した後、反応混合物の温度を４０−５０℃にして、メタノール（１０００ｍｌ）を混合物に加えた。生じた析出物を２０−２５℃で１時間攪拌し、真空で濾過し、メタノール（５００ｍｌ）で洗浄した。湿った固形物を、激しく攪拌しながら、水（２０００ｍｌ）中に溶解させ、溶液を濃縮塩酸で酸性にし、白色の固体の析出物を得た。析出した固形物を濾過して、酢酸エチル（５００ｍｌ）中に懸濁し、３０分間攪拌して濾過した。固形物を乾燥させて、表題の化合物（７５ｇ）を得た。
収率：５５％、純度：ＨＰＬＣで測定して９５．８％。
1H NMR (400 MHz、DMSO-d6): δ 5.94 (br. s, 16H), 3.82-3.73 (m, 8H), 3.63-3.54 (m, 8H), 3.43-3.32 (m, 16H), 3.08-3.02 (m, 8H), 2.89-2.81 (m, 8H), 2.78-2.72 (m, 16H), 2.55-2.43 (m, 16H) ppm.
13C NMR (100 MHz、DMSO-d6):δ 173.00, 102.01, 83.94, 72.45, 72.33, 71.36, 34.53, 33.08, 27.87 ppm.
質量: m/z (M-H2+K)+ C72H110O48S8Kの計算値: 2039.24; 観測値: 2039.26.
【００８６】
実施例８
スガマデクスナトリウムの製造
スターラー、滴下漏斗、窒素導入口、およびポケット付き温度計を備えた、清潔な、乾燥した３Ｌの４つ口フラスコに、実施例４で得られた化合物（７５ｇ）を、水（１００ｍｌ）およびメタノール（１００ｍｌ）中の水酸化ナトリウム（３７．５ｇ、０．９３７ｍｏｌ）溶液中に溶解した。生じた混合物のｐＨを８−１０の間に維持した。この混合物に、メタノール（１．５Ｌ）をゆっくりと室温で加え、混合物をさらに３０分間攪拌した。析出した白色の固形物を、真空で濾過して、メタノール（５００ｍｌ）で完全に洗浄した。固形物を真空下、５０℃で２４時間乾燥させて、スガマデクスナトリウム（７９ｇ）を得た。収率：９６．９％、純度：ＨＰＬＣで測定して９５．５％。
【図１】
2018518589.tif 000019
【図２】
2018518589.tif 000020
【図３】
2018518589.tif 000021
【図４】
2018518589.tif 000022
【図５】
2018518589.tif 000023
【図６】
2018518589.tif 000024
【図７】
2018518589.tif 000025
【図８】
2018518589.tif 000026
【図９】
2018518589.tif 000027
【図１０】
2018518589.tif 000028
【図１１】
2018518589.tif 000029
【図１２】
2018518589.tif 000030
【図１３】
2018518589.tif 000031
【国際調査報告】
2018518589.tif 000032
2018518589.tif 000033